(57)【要約】【課題】複数個の穀類乾燥機に対応することができ、使用の融通性を高めることができ、設置及び保管用の省スペース化を図ることができると共に保守点検も容易に行うことができる。【解決手段】サイクロン器体３の側周面に穀類乾燥機１の排塵口２から強制排出される含塵空気Ｗの導入口部４を設け、サイクロン器体の上面に空気の排気口部５を設け、サイクロン器体の下面に塵埃落下口部６を設け、塵埃落下口部に塵埃Ｍを回収する回収袋１２を設け、導入口部をサイクロン器体の側周面に複数個設けてなる。【選択図】図１
2010110739.tif 000002
【特許請求の範囲】
【請求項１】
サイクロン器体の側周面に穀類乾燥機の排塵口から強制排出される含塵空気の導入口部を設け、該サイクロン器体の上面に空気の排気口部を設け、該サイクロン器体の下面に塵埃落下口部を設け、該塵埃落下口部に塵埃を回収する回収袋を設けてなり、上記導入口部を上記サイクロン器体の側周面に複数個設けてなることを特徴とする穀類乾燥機用集塵装置。
【請求項２】
上記サイクロン器体を軸線を上下方向にして起立配置する脚体と、上記回収袋を着脱自在に支持可能な袋支持部とを備えてなることを特徴とする請求項１記載の穀類乾燥機用集塵装置。
【請求項３】
上記サイクロン器体の上面の排気口部から排気される空気を下方に迂回案内可能な導出路筒と、該導出路筒の下端部に臨設可能な水容器とを備えて構成したことを特徴とする請求項１又は２記載の穀類乾燥機用集塵装置。
【請求項４】
上記導出路筒は上記排気口部に接続可能な迂回案内筒と該迂回案内筒に接続可能な合成樹脂製の可撓性筒からなることを特徴とする請求項１〜３のいずれか１項に記載の穀類乾燥機用集塵装置。
【請求項５】
上記回収袋は通気性を有する布袋材からなることを特徴とする請求項１〜４のいずれか１項に記載の穀類乾燥機用集塵装置。
【発明の詳細な説明】
【技術分野】
【０００１】
本発明は例えば米や麦等の穀類を乾燥する穀類乾燥機に用いられる穀類乾燥機用集塵装置に関するものである。
【背景技術】
【０００２】
従来、この種の穀類乾燥機用集塵装置として、サイクロン器体の側周面に穀類乾燥機の排塵口から強制排出される含塵空気の導入口部を設け、該サイクロン器体の上面に空気の排気口部を設け、該サイクロン器体の下面に塵埃落下口部を設けてなる構造のものが知られている。
【特許文献１】特開２００１−１９８４２６
【発明の開示】
【発明が解決しようとする課題】
【０００３】
しかしながら上記従来構造の場合、サイクロン器体内に穀類乾燥機の排塵口から強制排出される含塵空気を導入するための導入口部は単一個設けた構造となっているため、上記集塵装置は複数個の穀類乾燥機の台数分だけ必要となり、設置及び保管用に大きなスペースを必要とすると共に保守点検も台数分だけ必要となり、一台で複数個の穀類乾燥機に対応可能な構造のものが要望されている。
【課題を解決するための手段】
【０００４】
本発明はこのような不都合を解決することを目的とするもので、本発明のうちで、請求項１記載の発明は、サイクロン器体の側周面に穀類乾燥機の排塵口から強制排出される含塵空気の導入口部を設け、該サイクロン器体の上面に空気の排気口部を設け、該サイクロン器体の下面に塵埃落下口部を設け、該塵埃落下口部に塵埃を回収する回収袋を設けてなり、上記導入口部を上記サイクロン器体の側周面に複数個設けてなることを特徴とする穀類乾燥機用集塵装置にある。
【０００５】
又、請求項２記載の発明は、上記サイクロン器体を該軸線を上下方向にして起立配置する脚体と、上記回収袋を着脱自在に支持可能な袋支持部とを備えてなることを特徴とするものであり、又、請求項３記載の発明は、上記サイクロン器体の上面の排気口部から排気される空気を下方に迂回案内可能な導出路筒と、該導出路筒の下端部に臨設可能な水容器とを備えて構成したことを特徴とするものであり、又、請求項４記載の発明は、上記導出路筒は上記排気口部に接続可能な迂回案内筒と該迂回案内筒に接続可能な合成樹脂製の可撓性筒からなることを特徴とするものであり、又、請求項５記載の発明は、上記回収袋は通気性を有する布袋材からなることを特徴とするものである。
【発明の効果】
【０００６】
本発明は上述の如く、請求項１記載の発明にあっては、複数個の各穀類乾燥機の排塵口から強制排気される含塵空気内は導入口部を介してサイクロン器体内に導入され、含塵空気に含まれる葉屑や穀桿屑等の夾雑物を含む塵埃はそれぞれサイクロン器体のサイクロン作用により塵埃と空気とに分別され、空気はサイクロン器体の上面の排気口部から排気され、塵埃は回収袋内に収集されることになり、回収袋内に塵埃が収集されることにより、付近に塵埃を撒き散らすことがなくなり、それだけ作業環境を向上することができると共に作業者の健康を害することもなく、上記導入口部を上記サイクロン器体の側周面に複数個設けてなるから、複数個の穀類乾燥機に対応することができ、使用の融通性を高めることができ、設置及び保管用の省スペース化を図ることができると共に保守点検も容易に行うことができる。
【０００７】
又、請求項２記載の発明にあっては、上記サイクロン器体をその軸線を上下方向にして起立配置する脚体と、上記回収袋を着脱自在に支持可能な袋支持部とを備えてなるから、脚体によりサイクロン器体を任意位置に起立配置することができて作業の融通性を高めることができ、回収袋は袋支持部に対して着脱自在であるから、塵埃満杯時等における回収袋の着脱交換が容易となり、一層作業性を向上することができ、又、請求項３記載の発明にあっては、上記サイクロン器体の上面の排気口部から排気される空気を下方に迂回案内可能な導出路筒と、導出路筒の下端部に臨設可能な水容器とを備えているから、空気内に残存する細かな塵埃は導出路筒を介して水容器内に回収することことができ、それだけ作業環境を向上することができ、又、請求項４記載の発明にあっては、上記導出路筒は上記排気口部に接続可能な迂回案内筒と迂回案内筒に接続可能な合成樹脂製の可撓性筒からなるので、空気内に残存する細かな塵埃を確実に水容器内に回収することができ、又、請求項５記載の発明にあっては、上記回収袋は通気性を有する布袋材からなるので、塵埃の落下と共に塵埃落下口部から排気される空気は袋片を通過して排気され、それだけ塵埃の回収を良好に行うことができる。
【発明を実施するための最良の形態】
【０００８】
図１乃至図７は本発明の実施の形態例を示し、１・１は穀類乾燥機であって、この場合、並列された二台の循環型穀類乾燥機が用いられ、例えば灯油の燃焼により生ずる熱風によって穀類を内部循環させながら乾燥する構造となっており、この二台の穀類乾燥機１・１の上部にはそれぞれ排塵口２・２が設けられ、穀類乾燥機１・１内部の送風機部により排塵口２・２から含塵空気Ｗを排出するように構成されている。
【０００９】
３はサイクロン器体であって、この場合上部の円筒部３ａと下部の漏斗部３ｂと径小円筒部３ｃとからなる全体として円筒漏斗状に形成され、円筒漏斗状の軸線Ｎが上下方向に配置され、その側周面に含塵空気Ｗの導入口部４・４が軸線Ｎに対して変位してサイクロン器体３の内周面の周方向に対してほぼ接線方向に二個形成され、又、上面には円筒状に形成された空気Ｋの排気口部５が形成され、下面には塵埃落下口部６が形成されている。
【００１０】
７は脚体であって、この場合サイクロン器体３の側周面の三等配位置に取付片８を突設し、この各々の取付片８に弧状長穴８ａ及び取付穴８ｂを形成し、この弧状長穴８ａ及び取付穴８ｂに取付ボルト９ａ・９ａを挿通し、脚杆９をサイクロン器体３の側周面に沿って折り畳み自在に取付け、かつ、脚杆９を相互に挿通可能なパイプ材により形成すると共に止めボルト９ｂにより伸縮調節自在に設け、この三個の脚杆９によりサイクロン器体３をその該軸線Ｎを上下方向にして起立配置可能に構成している。
【００１１】
１０は袋支持部であり、この場合上記径小円筒部３ｃに解除可能な抱締構造のリング状の取付枠１１からなり、径小円筒部３ｃたる塵埃落下口部６に塵埃Ｍを回収する回収袋１２の開口縁部を取付枠１１により止着するようにしている。
【００１２】
この場合、上記回収袋１２は麻や合成樹脂糸を編み込んだ織布、又は不織布製等の通気性を有する四角状布袋材からなり、回収袋１２を塵埃落下口部６に挿入して取付枠１１で抱締止着するように構成している。
【００１３】
この場合、穀類乾燥機１・１の排塵口２・２とサイクロン器体３の導入口部４とをそれぞれ可撓性を有する接続ホース１６・１６により接続している。
【００１４】
１３は導出路筒であって、上記サイクロン器体３の上面の排気口部５から排気される空気Ｋを下方に迂回案内可能な折返形状に形成され、この場合、導出路筒１３は上記排気口部５に嵌合接続可能な金属製の迂回案内筒１３ａと迂回案内筒１３ａに嵌合接続可能な薄いビニール樹脂等の合成樹脂製の可撓性筒１３ｂからなり、可撓性筒１３ｂをバンド材１３ｃにより迂回案内筒１３ａに止着固定するように構成している。
【００１５】
１４は水容器であって、この場合金属製又は合成樹脂製の開口容器状に形成され、内部に水１５を入れ、水１５の水面に上記導出路筒１３の可撓性筒１３ｂの下端縁を近接配置して構成している。
【００１６】
この実施の形態例は上記構成であるから、図７の如く、サイクロン器体３を脚体７により二台の穀類乾燥機１・１の中間位置に設置し、各穀類乾燥機１・１の排塵口２・２とサイクロン器体３の二個の導入口部４・４とを接続ホース１６・１６により接続することにより、各穀類乾燥機１・１の排塵口２・２から強制排出される含塵空気Ｗ・Ｗはそれぞれサイクロン器体３内に各導入口部４・４より導入され、サイクロン器体３内において、含塵空気Ｗは、サイクロン器体３の内部に各導入口部４・４を介して軸線Ｎから変位して自己の強制流れにより導入されて旋回運動が付与され、これにより、いわゆるサイクロン作用がなされ、葉屑や穀桿屑等の夾雑物を含む塵埃Ｍに作用する遠心力によって、これら塵埃Ｍは自重により旋回しつつ下方に落下し、塵埃Ｍは塵埃落下口部６を介して袋支持部１０に支持した回収袋１２内に回収され、一方空気Ｋはサイクロン器体３の上面に形成された円筒状の排気口部５を介して導出路筒１３により上方から下方に迂回案内して排気され、この導出路筒１３の下端部に臨設した水容器１４内に空気Ｋ内に含まれている細かな粉状の塵埃Ｑは水内に落下することになる。
【００１７】
従って、各穀類乾燥機１・１の排塵口２・２から強制排気される含塵空気Ｗ・Ｗ内は導入口部４・４を介してサイクロン器体３内に導入され、含塵空気Ｗ・Ｗに含まれる葉屑や穀桿屑等の夾雑物を含む塵埃Ｍはそれぞれサイクロン器体３のサイクロン作用により塵埃Ｍと空気Ｋとに分別され、空気Ｋはサイクロン器体３の上面の排気口部５から排気され、塵埃Ｍは回収袋１２内に収集されることになり、回収袋１２内に塵埃Ｍが収集されることにより、付近に塵埃Ｍを撒き散らすことがなくなり、それだけ作業環境を向上することができると共に作業者の健康を害することもなく、特に、上記導入口部４・４を上記サイクロン器体３の側周面に複数個設けてなるから、複数個の穀類乾燥機に対応することができ、使用の融通性を高めることができ、設置及び保管用の省スペース化を図ることができると共に保守点検も容易に行うことができる。
【００１８】
この場合、上記サイクロン器体３をその軸線Ｎを上下方向にして起立配置する脚体７と、上記回収袋１２を着脱自在に支持可能な袋支持部１０とを備えてなるから、脚体７によりサイクロン器体３を任意位置に起立配置することができて作業の融通性を高めることができ、回収袋１２は袋支持部１０に対して着脱自在であるから、塵埃満杯時等における回収袋１２の着脱交換が容易となり、一層作業性を向上することができ、又、この場合、上記サイクロン器体３の上面の排気口部５から排気される空気Ｋを下方に迂回案内可能な導出路筒１３と、導出路筒１３の下端部に臨設可能な水容器１４とを備えているから、空気Ｋ内に残存する細かな塵埃Ｑは導出路筒１３を介して水容器１４内に回収することができ、それだけ作業環境を向上することができ、又、この場合、上記導出路筒１３は上記排気口部５に接続可能な迂回案内筒１３ａと迂回案内筒１３ａに接続可能な合成樹脂製の可撓性筒１３ｂからなるので、空気Ｋ内に残存する細かな塵埃Ｑを確実に水容器１４内に回収することができ、又、この場合、回収袋１２は通気性を有する布袋材からなるので、塵埃の落下と共に塵埃落下口部６から排気される空気は袋片を通過して排気され、それだけ塵埃Ｍの回収を良好に行うことができる。
【００１９】
以上の如く、所期の目的を充分達成することができる。
【図面の簡単な説明】
【００２０】
【図１】本発明の実施の形態例の使用状態の全体斜視図である。
【図２】本発明の実施の形態例の部分断面斜視図である。
【図３】本発明の実施の形態例の平断面図である。
【図４】本発明の実施の形態例の全体斜視図である。
【図５】本発明の実施の形態例の部分断面図である。
【図６】本発明の実施の形態例の部分側面図である。
【図７】本発明の実施の形態例の使用状態側面図である。
【符号の説明】
【００２１】
Ｎ    軸線
Ｋ    空気
Ｗ    含塵空気
Ｍ    塵埃
Ｑ    塵埃
１    穀類乾燥機
２    排塵口
３    サイクロン器体
４    導入口部
５    排気口部
６    塵埃落下口部
７    脚体
１０    袋支持部
１２    回収袋
１３    導出路筒
１３ａ    迂回案内筒
１３ｂ    可撓性筒
１４    水容器
【図１】
2010110739.tif 000003
【図２】
2010110739.tif 000004
【図３】
2010110739.tif 000005
【図４】
2010110739.tif 000006
【図５】
2010110739.tif 000007
【図６】
2010110739.tif 000008
【図７】
2010110739.tif 000009